(57)【特許請求の範囲】
【請求項１】
移動側レールを摺動可能に保持する固定側レールの前端部内面に、移動側レールの収納時に、移動側レールの前端部分を支持する支持部材を設けたスライドレールにおいて、前記支持部材は、移動側レールの基板方向に突出し、移動側レールの折曲縁の内面側を支持する支持突部を有する事を特徴とするスライドレール。
【請求項２】
移動側レールを摺動可能に保持する固定側レールの前端部内面に、移動側レールの収納時に、移動側レールの前端部分を支持する支持部材を設けたスライドレールにおいて、前記支持部材は、移動側レールの基板方向に突出し、移動側レールの折曲縁の内面側を支持する支持面が形成された支持突部を有する事を特徴とするスライドレール。
【請求項３】
移動側レールを摺動可能に保持する固定側レールの前端部内面に、移動側レールの収納時に、移動側レールの前端部分を支持する支持部材を設けたスライドレールにおいて、前記支持部材は、固定側レールのボール摺動溝に嵌合する嵌合突部と、嵌合突部と所定間隔を有して移動側レールの折曲縁が位置する折曲縁嵌挿溝と、移動側レールの基板方向に突出し、移動側レールの折曲縁の内面側を支持する支持面が形成された支持突部を有する事を特徴とするスライドレール。
【発明の詳細な説明】
【０００１】
【発明の属する技術分野】
本発明は、特に複写機の現像部の出し入れに使用されるスライドレールに関するものである。
【０００２】
【従来の技術】
従来、上記スライドレールは、機器本体に固定される断面略Ｃ字型の固定側レールと、固定側レールにボールリテーナーに回転自在に保持された複数個のボールを介して摺動自在に保持された断面略Ｃ字型の移動側レールより構成され、固定側レールと移動側レールはほぼ同長で、ボールリテーナーはその略２分の１程度の長さに形成されている。
すなわち、移動側レール（左右端部に移動側レールが連結された現像部等）が、固定側レール（機器本体）に完全に収納された状態で、ボールリテーナー（複数個のボール）は、固定側レールと移動側レールの後部側に位置し、この範囲で現像部等（移動側レール）を支持し、移動側レールの前部側は固定側レールに実質的に支持されていない状態となる。
引出し等の荷重の軽いものに使用する場合は、上記の状態であっても特に問題はないが、現像部のように荷重の重いものに使用すると、収納状態で、移動側レールの前端部が下方に変移する（ボールの前端部が支点となって、前端部側が下がる）、いわゆる前だれ状態となり、所定の位置に現像部が収納しきれないだけでなく、スラードレールの故障の原因ともなる問題があった。
【０００３】
この問題を解決する為、図４に示すように、固定側レールａの前端部に、移動側レールｂと固定側レールａのボール摺動溝間ｃに嵌合し、前後方向に所定の長さに形成された、円柱状の嵌合支持部ｄ，ｄを有する支持部材ｅを設け、下側の嵌合支持部ｄで、移動側レールｂ下側の折曲縁ｂ１を支持し、移動側レールｂの前下がりを防止するようにしたスライドレールが提供されている。
【０００４】
しかしながら、製作誤差により、現像部等の左右幅には精度的なバラツキが生じているので、現像部と移動側レールｂを連結し、移動側レールｂを固定側レールａに収納した状態では、現像部等の左右幅の精度的バラツキ分、移動側レールｂは固定側レールａに対し所定位置より、固定側レールａの基板ａ１に近づく方向、あるいは離れる方向に微妙に変移する事となる。
すなわち、支持部材ｅの嵌合支持部ｄ，ｄは円柱形に形成されているので、移動側レールｂの摺動溝の外面と、嵌合支持部ｄ、ｄの接触部（接触面積）が、所定位置から変移し、移動側レールｂの摺動溝の外面の一部が嵌合支持部ｄの一部と強く接触し、移動側レールｂの摺動が重くなる問題があった。
【０００５】
又、修理点検等の為、現像部の引出し途中（ボールリテーナーｆが固定側レールａの後方部に位置している状態）で、側方から不測に力が加えられると（点検者の膝頭が衝突したり等）、ボールリテーナーｆの前方に突出する移動側レールｂの弾性的反りによって、折曲縁ｂ１が、嵌合支持部ｄ、ｄを乗り越えてしまう事（図３の仮想線に示す状態）があった。
【０００６】
そして、嵌合支持部ｄが円柱状に形成されているので、折曲縁ｂ１の端部が、円柱状の端面に当接して、移動側レールｂの弾性では元の状態に戻らないので、反対側から再び力を加えて、強制的に、折曲縁ｂ１の端部を嵌合支持部ｄ、ｄより乗り越えさせ、摺動溝と嵌合支持部ｄ、ｄを嵌合させていたが、力を加えすぎると、逆に、反対側の移動側レールｂが嵌合支持部ｄより外れる恐れがあるので、微妙な力加減が必要となり、作業をより煩雑なものにしていた。
【０００７】
【発明が解決しようとする課題】
本発明は、簡単な構造で、収納時等の移動側レールの前だれを防止し、摺動力に影響を与える事なしに、現像部等の左右幅の精度的なバラツキを吸収し、しかも、移動側レールの側方から不測に力が加えられ手も、確実に対応出来るスライドレールを提供する事を課題とする。
【０００８】
【課題を解決する為の手段】
そこで、上記課題を解決する為、本発明が第１の手段として構成したところは、移動側レールを摺動可能に保持する固定側レールの前端部内面に、移動側レールの収納時に、移動側レールの前端部分を支持する支持部材を設けたスライドレールにおいて、前記支持部材は、移動側レールの基板方向に突出し、移動側レールの折曲縁の内面側を支持する支持突部を有するものである。
【０００９】
本発明が第２の手段として構成したところは、移動側レールを摺動可能に保持する固定側レールの前端部内面に、移動側レールの収納時に、移動側レールの前端部分を支持する支持部材を設けたスライドレールにおいて、前記支持部材は、移動側レールの基板方向に突出し、移動側レールの折曲縁の内面側を支持する水平面が形成された支持突部を有するものである。
【００１０】
又、本発明が第３の手段として構成したところは、  移動側レールを摺動可能に保持する固定側レールの前端部内面に、移動側レールの収納時に、移動側レールの前端部分を支持する支持部材を設けたスライドレールにおいて、前記支持部材は、固定側レールのボール摺動溝に嵌合する嵌合突部と、嵌合突部と所定間隔を有して移動側レールの折曲縁が位置する折曲縁嵌挿溝と、移動側レールの基板方向に突出し、移動側レールの折曲縁の内面側を支持する水平面が形成された支持突部を有するものである。
【００１１】
【実施例】
以下、本発明の第１実施例を図１、図２、図３に基づいて説明する。
図１において、符号１００は、本発明のスライドレールを示し、スライドレール１００は、複写機等の本体側に連結される固定側レール１と、固定側レール１に対し、ボール保持板リテーナー３に回転自在に保持された複数個のボール３０・・・を介して摺動自在に設けられた移動側レール２と、固定側レール１の前端部内面に取り付けられた支持部材５より構成されている。
【００１２】
固定側レール１は、金属製の細長条板の短手両端部を内向き円弧状に折り曲げて形成された、内面長手方向（摺動方向）にボール案内摺動溝１０、１０を有する折曲縁１１、１１と、基板１２より断面略Ｃ字形に形成されている。
そして、摺動方向の後端部（収納方向端部）に、移動側レール２方向に基板１２が突出して固定側レール後端ストッパー１３が形成され、摺動方向前端部（引き出し方向端部）に、移動側レール２方向に突出する固定側レール前端ストッパー１４が形成され、固定側レール前端ストッパー１４の前側に、支持部材５の位置決め突起１５が形成されている。符号１６・・・は、機器本体との取付孔を示している。
【００１３】
移動側レール２は、固定側レール１とほぼ同長で、金属製の細長条板の短手両端部を内向き円弧状に折り曲げて形成された、外面長手方向に（摺動方向）にボール摺動溝２０、２０を有する折曲縁２１、２１と基板２２より断面略Ｃ字形に形成されている。
そして、基板２２の摺動方向の後端部（収納方向端部）に、前記固定側レール前端ストッパー１４に対応して移動側レール後端ストッパー２３が固定側レール１側に突出して形成されている。符号２５・・・は現像部等との連結孔を示している。
【００１４】
ボールリテーナー３は帯状金属板にて、移動側レール２の半分程度の長さとし、固定側レール１と移動側レール２間に挿入可能な大きさの基板３２と固定側レール１及び移動側レール２の各折曲縁１１、１１、２１、２１間に位置する突出縁３１、３１より断面略コ字形に形成され、突出縁３１、３１の長手方向（摺動方向）数個所でボール３０・・・を回転自在に保持している。
【００１５】
固定側レール１、移動側レール２、ボール保持板３は上記の如く形成され、移動側レール２が固定側レール１に収納された状態で、固定側レール後端ストッパー１３の内面に移動側レール２の後端部が当接し、ボール保持板３は固定側レール１の摺動方向の後部側に位置し、移動側レール２の収納方向への摺動が阻止されている。
【００１６】
この状態から、移動側レール２を引き出し方向に摺動させると、ボール３０・・・及びボール保持板３は、移動側レール２の２分の１の摺動距離で引き出し方向に移動し、やがて、移動側レール後端ストッパー２３が、固定側レール１の固定側レール前端ストッパー１４の後側に当接して、移動側レール２は停止し、スライドレール１００は最大伸長状態となる。
【００１７】
一方、移動側レール２を収納方向に摺動させると、前記とは逆の動きによって、移動側レール２、ボール保持板３は収納方向に摺動し、やがて、移動側レール２の後端部が固定側レール後端ストッパー１３の前側内面に当接して移動側レール２の摺動は停止する。
以上が、スライドレール１００の基本的な動きであるが、本発明では、固定側レール１の前端部内面に支持部材５が取り付けられているので、移動側レール２の収納時での前だれが防止される。
【００１８】
支持部材５は、取付基板５１と、嵌合突部５２、５２と、支持突部５３、５３より合成樹脂材にて一体に形成されている。
すなわち、取付基板５１は、固定側レール１の基板１２内面に位置し、その後端面が前記固定側レール前端ストッパー１４の前面に当接した状態で、前端面が、固定側レール１の基板１２の前端と一致する幅寸法で、前記位置決め突起１５に対応して、中央部に嵌合孔５１１が形成されている。
嵌合突部５２、５２は、取付基板１２の上下端部側に連設され、固定側レール１の折曲縁１１．１１側が摺動溝１０、１０に沿った円弧状に形成され、ボール摺動孔１０、１０に嵌合する半円柱状に形成されている。  支持突部５３、５３は、嵌合突部５２、５２と所定間隔（折曲縁２１．２１が嵌挿可能な折曲縁嵌挿溝５４、５４）を有して、移動側レール２の基板２２方向に突出する略水平状に形成されている。
【００１９】
そして、支持突部５３、５３は、折曲縁２１、２１側に、移動側レール２の折曲縁２１、２１の内面側を支持する略水平状の支持面５３１、５３１を有し、基板２２側端面は、移動側レール２の基板２２の内面に近接する略円弧状面５３２、５３２に形成されている。
支持部材５は上記の如く構成され、固定側レール１の位置決め突起１５の位置で、移動側レール１の内面側から、嵌合突部５２の一方をボール摺動溝１０内に嵌合し、他方の嵌合突部５２を他方の折曲縁１１に押しつけると、折曲縁嵌挿溝５４が形成されているので、嵌合突部５２と取付基板５１の連続部で弾性変形を起こし、嵌合突部５２は他方のボール摺動溝１１に嵌合し、同時に、位置決め突起１５に嵌合孔５１１が嵌合して、支持部材５の摺動方向への動きは阻止され、固定側レール１に支持部材５は固定される。
【００２０】
すなわち、現像部等の精度的バラツキによって、移動側レール２が、固定側レール１の方向で微妙に変移しても、ボール摺動溝２０、２０は、支持突部５３、５３および嵌合突部５２、５２とは無関係であるから、従来のように摺動力に影響をおよぼす事はない。
又、移動側レール２に荷重が負荷されても、上側の折曲縁２１の内面が上側の支持突部５３の支持面５３１に接触して支持されるので、移動側レール２は前だれを起こす事もなく、さらに、移動途中の位置で、移動側レール２に、側方から不測に力が負荷されて、ボールリテーナー３の前方に突出する移動側レール２が弾性的に反ったとしても、支持面５３１は略水平状に形成されているので、折曲縁２１は、支持面５３１上を移動するだけであるから、負荷された力が解除されると、元の位置に復帰する。
尚、支持突部５２、５２が上下に形成されているのは、スライドレールを左右兼用で使用出来るようにする為である。
【００２１】
【発明の効果】
請求項１に記載の発明によれば、支持部材は、移動側レールの基板方向に突出し、移動側レールの折曲縁の内面側を支持する支持突部を有しているので、現像部等の精度的バラツキによって、移動側レールが、固定側レールの方向で微妙に変移しても、移動側レールのボール摺動溝は（折曲縁の内側を支持しているので）、支持突部とは無関係であるから、従来のように摺動力に影響をおよぼす事はない。
又、移動側レールに荷重が負荷されても、上側の折曲縁の内面上側の支持突部に接触して支持されるので、移動側レールは前だれを起こす事がない。
【００２２】
請求項２に記載の発明によれば、前記効果に加え、支持部材は、移動側レールの基板方向に突出し、移動側レールの折曲縁の内面側を支持する支持面が形成された支持突部を有しているので、移動側レールの移動途中の位置で、移動側レールに、側方から不測に力が負荷されて、ボールリテーナーの前方に突出する移動側レールが弾性的に反ったとしても、折曲縁は水平面上を移動するだけであるから、負荷された力が解除されると、元の位置に復帰する事ができる。
【００２３】
請求項３に記載の発明によれば、前記効果に加え、支持部材は、固定側レールのボール摺動溝に嵌合する嵌合突部と、嵌合突部と所定間隔を有して移動側レールの折曲縁が位置する折曲縁嵌挿溝を有しているので、固定側レールに対する取り付け作業が非常に容易である。
【図面の簡単な説明】
【図１】    本発明の分解斜視図
【図２】    支持部材の斜視図
【図３】    本発明の要部断面図
【図４】    従来例の要部断面図
【符号の説明】
１                  固定側レール
１０                ボール摺動溝
１１                折曲縁
１２                基板
２
移動側レール
２０                ボール摺動溝
２１                折曲縁
２２                基板
３
ボールリテーナー
３０                ボール
５
支持部材
５２                嵌合突部
５３                支持突部
５３１              支持面
【図１】
0004226758.tif 000002
【図２】
0004226758.tif 000003
【図３】
0004226758.tif 000004
【図４】
0004226758.tif 000005